(57)【特許請求の範囲】
【請求項１】
壁面に備えつけられる取付板と、
前記取付板に取り付けられる背面パネルと、
前記背面パネルに固定された電動送風機と、
前記電動送風機の吸い込み口に連通する吸込グリルと、
前記電動送風機の吹き出し口側に設けられたヒーターと、
前記ヒーターにより加熱した気流を吹き出す吐出口とを備え、
前記背面パネルと前記電動送風機と前記ヒーターを前面パネルで覆ったヒーター付きエアカーテンであって、
前記吹き出し口から前記吐出口の間の吹き出し風路にメンテナンス用開口を設け、
前記ヒーターは長方形形状であり、
前記メンテナンス用開口は前記ヒーターの長辺側に対向し前記ヒーターの前記長方形形状よりも大きな開口として設けられたヒーター付きエアカーテン。
【請求項２】
前記メンテナンス用開口は前記ヒーターの前記長方形形状を包含して設けられた請求項１記載のヒーター付きエアカーテン。
【請求項３】
前記背面パネルを前記取付板から着脱自在に固定し、
前記背面パネルを前記吹き出し風路の一部とし、
前記メンテナンス用開口を前記背面パネルに設けた請求項１または２記載のヒーター付きエアカーテン。
【請求項４】
前記吹き出し口から前記吐出口の間において前記前面パネルに対向して吹き出し風路パネルを設け、
前記前面パネルを前記背面パネルから着脱自在に固定し、
前記メンテナンス用開口を前記吹き出し風路パネルの一部に設けた請求項１または２記載のヒーター付きエアカーテン。
【発明の詳細な説明】
【技術分野】
【０００１】
本発明は、ヒーター付きエアカーテンに関する。
【背景技術】
【０００２】
エアカーテンは、カーテン状の気流により外気を遮断する事で、室内の冷暖房した熱を逃げにくくしたり、外部からの埃の侵入を遮断したりするため、食料品店やレストランの出入り口等において使用される。また、エアカーテンでは、冬季や寒冷地において使用された場合に、気流が人に当たった際の冷風感の低減のため、ニクロム線ヒーターやシーズヒーター、セラミックヒーター等のヒーターを製品内部に設け、気流を加熱させている事がある。
【０００３】
従来のヒーター付きエアカーテンとしては、ヒーターを取り付けた格子状の枠を吹き出し風路に設置することで、気流を加熱するものが知られている。（例えば、特許文献１参照）。
【０００４】
以下、従来のヒーター付きエアカーテンの側面断面の概略図である図５を参照しながら説明する。図５に示すように、従来のヒーター付きエアカーテンは、電動送風機１０１とヒーター１０２を有している。電動送風機１０１は、風路を構成するガイドウォール１０３とスタビライザー１０４との間に備えられている。ヒーター１０２は、電熱帯１０９と格子状の吹き出し風路枠１０５によって構成され、電熱帯１０９は吹き出し風路枠１０５によって保持されている。吹き出し風路枠１０５はガイドウォール１０３とスタビライザー１０４に接続されるように固定されている。電動送風機１０１が運転されると、前面パネル１０６に設けられた吸い込み口１０７より気流が流入し、ガイドウォール１０３とスタビライザー１０４に沿って流れ、ヒーター１０２にて加熱された後、カーテン状の気流となって、吹出口１０８から送出される。
【先行技術文献】
【特許文献】
【０００５】
【特許文献１】特開２００１−１１６３１８号公報
【発明の概要】
【発明が解決しようとする課題】
【０００６】
このような従来のヒーター付きエアカーテンでは、電動送風機とヒーターを内蔵した吹き出し風路が前面パネルで覆われている。そのため、ヒーターをメンテナンスする場合は、前面パネルを外した後、吹き出し風路枠も取り外す必要があるため、メンテナンス性が悪いという課題があった。また、吹き出し風路枠を取り外した時に、ヒーターの露出面が多く、ヒーターの充電部に手が触れやすいなど安全面でも課題があった。
【０００７】
そこで本発明は、上記従来の課題を解決するものであり、電動送風機の吹き出し口から吐出口の間の吹き出し風路にメンテナンス用開口を設けることで、メンテナンス性を向上したヒーター付きエアカーテンを提供することを目的とする。
【課題を解決するための手段】
【０００８】
そして、この目的を達成するために、本発明は、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路にメンテナンス用開口を設け、前記ヒーターは長方形形状であり、前記メンテナンス用開口は前記ヒーターの長辺側に対向し前記ヒーターの前記長方形形状よりも大きな開口として設けられ、これにより所期の目的を達成するものである。
【発明の効果】
【０００９】
本発明によれば、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路にメンテナンス用開口を設け、前記ヒーターは長方形形状であり、前記メンテナンス用開口は前記ヒーターの長辺側に対向し前記ヒーターの前記長方形形状よりも大きな開口として設けられたことにより、ヒーターのメンテナンス時に、吹き出し風路を取り外さずメンテナンスでき、かつ、ヒーターの充電部に手が触れることも防止できるという作用を有するので、メンテナンス性を向上しつつ、メンテナンス時の安全性も確保できるという効果を得ることができる。
【図面の簡単な説明】
【００１０】
【図１】本発明の実施の形態１のヒーター付きエアカーテンの側面断面の概略図
【図２】本発明の実施の形態１のヒーター付きエアカーテンの正面断面の概略図
【図３】同ヒーター付きエアカーテンの他の例を示す側面断面の概略図
【図４】同ヒーター付きエアカーテンの他の例を示す正面断面の概略図
【図５】従来のヒーター付きエアカーテンを示す側面断面の概略図
【発明を実施するための形態】
【００１１】
本発明に係るヒーター付きエアカーテンは、壁面に備えつけられる取付板と、前記取付板に取り付けられる背面パネルと、前記背面パネルに固定された電動送風機と、前記電動送風機の吸い込み口に連通する吸込グリルと、前記電動送風機の吹き出し口側に設けられたヒーターと、前記ヒーターにより加熱した気流を吹き出す吐出口とを備え、前記背面パネルと前記電動送風機と前記ヒーターは前面パネルで覆われており、前記吹き出し口から前記吐出口の間の吹き出し風路にメンテナンス用開口を設け、前記ヒーターは長方形形状であり、前記メンテナンス用開口は前記ヒーターの長辺側に対向し前記ヒーターの前記長方形形状よりも大きな開口として設けられたことを特徴としたものである。
【００１２】
この構成によれば、ヒーターのメンテナンス時に、吹き出し風路を取り外さずメンテナンスでき、かつ、ヒーターの充電部に手が触れることも防止できるため、メンテナンス性を向上しつつ、メンテナンス時の安全性も確保できるという効果を奏する。
【００１３】
また、前記ヒーターは長方形形状であり、前記ヒーターの長辺側に対向するように前記メンテナンス用開口を設けていることが好ましい。
【００１４】
この構成によれば、ヒーターの全体を目視確認しやすくできるため、メンテナンス性を向上できるという効果を奏する。
【００１５】
また、前記背面パネルを前記取付板から着脱自在に固定し、前記背面パネルを前記吹き出し風路の一部とし、前記メンテナンス用開口を前記背面パネルに設けていることが好ましい。
【００１６】
この構成によれば、前面パネルを背面パネルから取り外す必要がなく、本体全体を取付板から取り外した後に、背面パネルの側からヒーターをメンテナンスできるため、メンテナンス性を向上できるという効果を奏する。
【００１７】
また、前記吹き出し口から前記吐出口の間において前記前面パネルに対向して吹き出し風路パネルを設け、前記前面パネルを前記背面パネルから着脱自在に固定し、前記メンテナンス用開口を前記吹き出し風路パネルの一部に設けていることが好ましい。
【００１８】
この構造によれば、本体全体を取付板から取り外す必要がなく、前面パネルを取り外した後に、前面パネルの側からヒーターをメンテナンスできるため、メンテナンス性を向上できるという効果を奏する。
【００１９】
以下、本発明の実施の形態について、図面を参照しながら説明する。
【００２０】
（実施の形態１）
図１は本発明の実施の形態のヒーター付きエアカーテンの側面断面の概略図、図２は同ヒーター付きエアカーテンの正面断面の概略図である。
【００２１】
図１および図２に示すようにヒーター付きエアカーテンは、壁面１に備え付けられる取付板２と、取付板２に取り付けられる背面パネル３と、電動送風機４と、ヒーター８とを備えている。ここで、取付板２と背面パネル３は引っ掛け爪１１による嵌合構造で取り付けられ、一部を例えばネジ５０による締結として脱落を防止している。
【００２２】
電動送風機４はモーター２１、羽根車２２、ケーシング２３、軸２４とで構成され、背面パネル３と固定される。また、ヒーター８は電動送風機４の吹き出し口７の側に設けられ、背面パネル３と電動送風機４とヒーター８は前面パネル１０で覆われている。前面パネル１０には吸込グリル６が設けられる。
【００２３】
電動送風機４を運転すると、電動送風機４の吸い込み口５に連通する吸込グリル６から気流が流入する。流入した気流は電動送風機４にて昇圧され、ヒーター８にて加熱された後、吐出口９から送出される。
【００２４】
ここで、吸込グリル６の位置は、製品の上面に配置した方が、吸込気流の気流音や電動送風機４の運転音が外部に漏れる事を抑制できるため、騒音低減の観点から好ましく、また、製品設置時に吸込グリル６が見えにくくなるため、意匠上の観点でも好ましい。
【００２５】
吹き出し口７から吐出口９の間の吹き出し風路１２にメンテナンス用開口３１が設けられてあり、閉塞板３２を例えばネジ５１にて固定し、通常は閉塞されている。
【００２６】
上記構成により、吹き出し風路１２にメンテナンス用開口３１を設けたことにより、ヒーター８のメンテナンス時に、吹き出し風路（例えば吹き出し風路パネル４１など）を取り外さずメンテナンスでき、かつ、吹き出し風路１２の内部若しくは近傍にあるヒーター８の充電部に手が触れることも防止できる。
【００２７】
なお、ヒーター８は、ＰＴＣサーミスタを用いたＰＴＣヒーターを使用した方が、温度上昇飽和特性での安全面や低消費電力化の観点から好ましいが、ニクロム線ヒーターやシーズヒーターなどのヒーターを用いてもよい。ＰＴＣとは正温度係数（Ｐｏｓｉｔｉｖｅ  Ｔｅｍｐｅｒａｔｕｒｅ  Ｃｏｅｆｆｉｃｉｅｎｔ）のことである。
【００２８】
また、電動送風機４は、外気の遮断効果を高める目的で、吐出口９から送出される気流の速度を高めて、気流の到達距離を長くできるため、シロッコファンを使用する事が好ましい。しかし、電動送風機４としてクロスフローファンやプロペラファンなどの送風機を用いてもよい。
【００２９】
また、ヒーター８は長方形形状（モーター２１の軸２４方向が長辺となる形状）であり、ヒーター８の長辺側に対向するようにメンテナンス用開口３１を設けていることが好ましい。
【００３０】
上記構成により、ヒーター８の長辺側にメンテナンス用開口３１を設けていることにより、ヒーターの全体を目視確認しやすくできる。
【００３１】
また、背面パネル３を取付板２から着脱自在に固定し、背面パネル３を吹き出し風路１２の一部とし、メンテナンス用開口３１を背面パネル３に設けていることが部品点数削減やメンテナンスの面から好ましい。
【００３２】
上記構成により、前面パネル１０を背面パネル３から取り外す必要がなく、本体全体を取付板２から取り外した後に、背面パネル３の側からヒーター８をメンテナンスできる。
【００３３】
また、図３および図４は図１および図２と基本構成を同じとしながら、吹き出し口７から吐出口９の間において前面パネル１０に対向して吹き出し風路パネル４１を設けた場合の側面断面図、及び正面断面図の概略図である。図３に示すように、前面パネル１０を背面パネル３から例えばネジ５２にて着脱自在に固定し、メンテナンス用開口３１を吹き出し風路パネル４１の一部に設けている。メンテナンス用開口３１は、閉塞板３２’を例えばネジ５３にて固定し、通常は閉塞されていることが好ましい。
【００３４】
上記構成により、本体全体を取付板２から取り外す必要がなく、前面パネル１０を取り外した後に、前面パネル１０の側からヒーター８をメンテナンスできる。
【００３５】
このように本発明の実施の形態１のヒーター付きエアカーテンによれば、メンテナンス性を向上しつつ、メンテナンス時の安全性も確保できることとなる。
【００３６】
ここで、吸込グリル６の位置を製品の上面に配置している場合、上方から落下するごみを吸込みやすいという点からも、本実施形態によるメンテナンス性の向上、及びメンテナンス時の安全性の確保はさらに有効なものとなる。
【００３７】
また、本実施例では、１台の製品にモーター２１を１個と羽根車２２を２個とした組み合わせとして搭載しているが、羽根車を１個としたり、モーターを２個以上搭載をするなど、モーター２１と羽根車２２の組み合わせ数量にかかわらず同様の効果が得られる。組み合わせ数量（モーター２１の個数×羽根車２２の個数）が多いほど、ヒーター８の数量も増える傾向があるが、ヒーター８の数量が多いほど、本発明は風路内のメンテナンス性向上にさらに有効である。
【産業上の利用可能性】
【００３８】
本発明のヒーター付きエアカーテンは建物入り口の外気の遮断目的以外に、ヒーターを内臓した送風機器への転用により、物体を乾燥させるための工業用の乾燥用途にも適用できる。
【符号の説明】
【００３９】
１  壁面
２  取付板
３  背面パネル
４  電動送風機
５  吸い込み口
６  吸込グリル
７  吹き出し口
８  ヒーター
９  吐出口
１０  前面パネル
１１  引っ掛け爪
１２  吹き出し風路
２１  モーター
２２  羽根車
２３  ケーシング
２４  軸
３１  メンテナンス用開口
３２  閉塞板
３２’閉塞板
４１  吹き出し風路パネル
【図１】
0006511636.tif 000002
【図２】
0006511636.tif 000003
【図３】
0006511636.tif 000004
【図４】
0006511636.tif 000005
【図５】
0006511636.tif 000006